(57)【要約】【課題】机の引出し、書庫または本棚において、書類の転倒が少なく、背表紙の立ちあがりや表表紙の薄い書類の中折れによる書類が隠れることを防止し、比較的小さい書類が隣の大きい書類に隠れてしまうことも防止できる、書類の出し入れがしやすい安価な仕切具を提供することができ、またその仕切具を備えた、机の引出し、書庫、本棚またはブックエンドを提供することを目的とするものである。【解決手段】机の引出し、書庫または本棚の仕切具において、書類を支える支持体１の略中央にヒンジ部２を設け、前記支持体１は前記ヒンジ部２で折れ曲がることができ、前記支持体１をＶ字状に折り曲げた状態で前記支持体１の内側に弾性体３を設けることで解決するものである。【選択図】  図１
2004154394.tif 000002
【特許請求の範囲】
【請求項１】
机の引出し、書庫または本棚の仕切具において、書類を支える支持体の略中央にヒンジ部を設け、前記支持体は前記ヒンジ部で折れ曲がることができ、前記支持体をＶ字状に折り曲げた状態で前記支持体の内側に弾性体を設けたことを特徴とする仕切具。
【請求項２】
前記支持体は、板状であることを特徴とする請求項１に記載の仕切具。
【請求項３】
前記弾性体は、スポンジのような弾性を示す限界の大きい弾性体、または、ばねであることを特徴とする請求項１または請求項２に記載の仕切具。
【請求項４】
前記ヒンジ部の両側の支持体それぞれに、前記弾性体を設けたことを特徴とする請求項１ないし請求項３のいずれか１項に記載の仕切具。
【請求項５】
前記ヒンジ部は、繰り返し曲げに強い合成樹脂でできており、前記ヒンジ部は、厚さが薄いものであるか、または前記ヒンジ部の断面がＶ字状、Ｕ字状若しくは線条状の形状の溝であることを特徴とする請求項１ないし請求項４のいずれか１項に記載の仕切具。
【請求項６】
机の引出し、書庫または本棚の仕切具において、スポンジのような弾性を示す限界の大きい弾性体を、三角柱形状に加工し、その三角柱形状の、三つの側面の内の二つの側面に、板状の前記支持体を設けたことを特徴とする仕切具。
【請求項７】
机の引出し、書庫または本棚に固定された固定体（固定体が可動なものも含める）のいずれかの場所と、前記支持体との間に前記弾性体があることを特徴とする請求項１ないし請求項６のいずれか１項に記載の仕切具。
【請求項８】
机の引出し、書庫または本棚の仕切具において、板状の支持体の端を鉤状にし、前記支持体に弾性体を設けたことを特徴とする特徴とする仕切具。
【請求項９】
前記支持体のヒンジ部がある縁に板を設け、前記板をその縁から突出させたことを特徴とする請求項１ないし請求項８のいずれか１項に記載の仕切具。
【請求項１０】
請求項１ないし請求項９のいずれか１項に記載の仕切具を備えたことを特徴とする机の引出し（、書庫、本棚またはブックエンド）。
【発明の詳細な説明】
【０００１】
「用語の定義」
この明細書において使用する用語を次の通り定義する。
イ）この明細書で使用する「書類」とは、本、ノート、ファイルした資料、ビデオテープのカセットなどの、机の引出し、書庫または本棚で保管するものを総称して「書類」と表現する。
ロ）この明細書で使用する「書庫」とは、「書類」を保管する倉庫、「書類」を保管する多段となった引出し、書類を陳列する棚などを「書庫」と表現する。
ハ）この明細書で使用する「固定体」とは、机の引出し、書庫または本棚と、本発明の仕切具とを固定（可動に固定するものも含める）させるもの、またはブックエンドのいずれかの部分を指す。
従って、「固定体」と表現したものには、引出し、書庫または本棚の従来の仕切具、従来のブックエンドの垂直に立った部分も含む。
ニ）この明細書で使用する「何々形状」とは、何々形に似たものを指す。例えば、三角柱形状と表現したものは、数学上の三角柱を指すのではなく、三角柱に似た形状を指す。従って、三角柱形状には、比較的上底が小さい台形を底面とする角柱なども三角柱形状に含む。
同様に、「何々状」と記載したものは、何々に似た形状を指す。例えば、板状と記載したものは、板に似た形状を指し、板状と表現したものには、板のいずれかの場所に穴の開いた形状のものや、平らな網のような形状のものも含む。
ホ）この明細書で使用する「角柱の側面」とは、角柱の二つの底面に挟まれた柱面を指す。
ヘ）この明細書で使用する「固定」とは、定位置に動かないようにすることを指し、固着、締着、溶着、接着、または嵌合などの方法も含めて「固定」と表現する。
ト）この明細書で使用する「表表紙」とは、本やファイルなどの一番外にある表紙（裏表紙を含む）を指し、この明細書で使用する「背表紙」とは、本やファイルなどの一番外にある、本やファイルなどの綴じた方向にある面を指す。
【０００２】
【発明の属する技術分野】
本発明は、机の引出し、書庫または本棚の仕切具に関するものである。
【０００３】
【従来の技術】
図８のイ）は、従来の引出し本体６の一事例で、斜視図である。
図８のロ）は、図８のイ）に示した従来の引出し本体６にある、従来の仕切具（固定体５）を引出し本体６から取り出した図で、斜視図である。
（従来の仕切具を本発明の構成要素の一つとする請求項があるので、混同を避けるため、従来の仕切具は固定体（スライドできる可動のものも含める）５と表現する。）
図８のハ）は、図８のイ）のＰ−Ｐ断面図である。（固定体５の数を、１から３に増やしてある）
【０００４】
図１２のイ）は、図８のハ）に示す従来の引き出しに、書類を入れた状態を表し、断面図である。
図１２のロ）は、従来の本棚と従来の仕切具（固定体５）の一事例に、書類を入れた状態を表し、正面図である。
【０００５】
図１３のイ）ないしへ）は、資料を綴ったファイルの様子を表し、説明図である。
【０００６】
従来の机の引出し、書庫または本棚の仕切具（固定体５）には、次に述べるような問題点があった。
【０００７】
図１２のイ）、ロ）、図１３のイ）ないしヘ）で説明する。
（第一の問題点）
図１２のイ）、ロ）に示すように、収納する書類が少ないと書類が倒れる。
【０００８】
（第二の問題点）
書類の背表紙が隠れることがある。
（書類の背表紙が隠れるケース１）
書類を収納し過ぎると、図１２のイ）で、符号８Ａで示すような比較的小さな書類は、その両脇の大きな書類が上からかぶさって隠れてしまう。
（書類の背表紙が隠れるケース２）
同様に、書類の背表紙が隠れるケースとしては、次のような場合がよく起こる。図１２のイ）で、符号８Ｂで示すものは、背表紙が立ちあがったファイルを表している。このようになると、背表紙が見えなくなる。
この原因を、図１３のイ）ないしヘ）で説明する。
図１３のイ）は、資料を綴ったファイルの様子を表している。
ファイルに資料を綴る場合、最初は綴る資料は少ない。通常、保管しているファイルは、図１３のイ）のような分量のものが多いと推測される。
そこで、図１３のイ）の矢印の方向に力を加えると、順次、ファイルは、図１３のロ）、ハ）、ニ）、ホ）に示すように変形する。図１３のヘ）は極端に綴った資料の少ないファイルである。
これを図１２のイ）と対応させて説明すると、
図１３のイ）、ロ）、ハ）は、図１２のイ）で、符号８Ｄで示したファイルである。
図１３のニ）、ホ）、へ）は、図１２のイ）で、符号８Ｂで示したファイルである。
このように、机の引出し、書庫または本棚に、ファイルを収納すると、ファイルの背表紙は立ちあがりやすい。
ファイルの背表紙が立ちあがると、図１２のイ）で、符号８Ｂで示したファイルのように、その背表紙が隠れて見えなくなることがある。
（書類の背表紙が隠れるケース３）
また、図１２のイ）、ロ）で、符号８Ｃで、示すものは、表表紙が薄い書類である。表表紙の薄い書類は、例えば、電話帳や特許庁出版の平成１３年度版の「出願の手続き」）などのようなものである。
このような、表表紙の薄い書類は、引出しに収納すると、「中折れ」がして、図１２のイ）の符号８Ｃで示すように、背表紙が見えなくなることが多い。
このケース１、２、３で説明したように、背表紙が見えなくなることで、書類が見つからない場合、次に述べるような損失が発生する。
【０００９】
あるはずなのに、見付けることができず、どこに収納したのかを忘れたと勘違いして、収納した場所と、異なる場所を探すことになり、なかなか見つからず、大切な時間を費やすことがあった。結局、時間に限りのある仕事などで、どうしても必要な場合には、探しても見つからなければ、再度同じ資料を作成したり、同じものを購入したりすることがあった。
このように、大切な時間を費やした上に、大切なお金を無駄に使うことが起こり得る。そして、時間が経って、隠れていた書類が出てくると、今度は、同じものが二つあることになり、一つを廃棄することになって、更に、資源の無駄使いをすることになり、今度は、廃棄するのに、焼却コストとＣＯ２の排出まですることになる。
【００１０】
このように、机の引出し、書庫または本棚などで、書類の背表紙が隠れると、その損失は、結構大きいものがある。
【００１１】
（第三）の問題点）
書類が「中折れ」して、書類が曲がってしまうことがある。
また、表表紙の薄い書類は、本棚に収納すると、図１２のロ）で、符号８Ｃで示すように、やはり、「中折れ」がして、本棚の奥に倒れ込んでしまうことがよくある。すると、他の書類まで倒れ込んでしまうこともある。
特に、表表紙の薄い書類（例えば、電話帳や特許庁出版の平成１３年度版の「出願の手続き」）は、至って中折れがしやすい。
観察して見ると、表表紙の薄い本は、本の下が横に滑りやすく、本の下が少し横に滑ると、表表紙が薄く腰がないので、その本の自重で、本の下が更に横に滑り、ますます、本は中折れするようになる。
【００１２】
それらの問題を解決するため、「特許出願公開番号、特開平９−３２２８３２、引出しの仕切り部材」や「実用新案出願公開、昭６２−２７０３１、引出式書類ローカーの仕切板」などが提案されている。
【００１３】
「特許出願公開番号、特開平９−３２２８３２、引出しの仕切り部材」は、その請求項の記載と表現は異なるが、固定体（従来の仕切具）に弾性体を設け、その弾性体に支持体を設け、更に、その支持体を引出しの前後の面に平行にし、その支持体で書類を立たせる仕切具である。
引出しへ収納する書類が、表表紙の硬い書類では、効果はあると思われる。しかし、この方法では、次のような問題が発生する。
【００１４】
（第一の問題点）
使い勝ってが余り良くない。
（その１）
コイルばねやウレタンフォームの所に、間違って、書類を入れることが予想されるが、その場合、書類やコイルばねやウレタンフォームを傷める恐れがあるが、その解決策については、開示されていない。
コイルばねやウレタンフォームの所に、書類を入れないように注意する必要があり面倒である。
（その２）
机の上には、いろんなものがあることが多く、引出しを開けた時、コイルばねやウレタンフォームの所に、誤って、物が落ち込むことも予想されるが、その場合、落ちたものを取るのに、全部取り外さなければならず、面倒である。また、コイルばねやウレタンフォームの所に、小物が落ち込むと、そこに、落ち込んだことに、気付かずに、紛失したと思い込むことも、想定される。宝石などの貴重品や社章などのバッチが、落ち込んで、紛失したと思い込むことも、あり得るが、その解決策についても、開示されていない。
コイルばねやウレタンフォームの所に、誤って、物が落ち込むことがないように注意する必要があり面倒である。
【００１５】
（第二の問題点）
「固定体（従来の仕切具）に弾性体を設け、その弾性体に支持体を設け、更に、その支持体を引出しの前後の面に平行にし、その支持体で書類を立たせる仕切具」と言う構成では、引出しへの、書類の積め込み過ぎによる、背表紙の立ちあがりやすい。（図１２のイ）での符号８Ｂ、および図１３のニ）、ホ）、へ）を参照）
その解決策についても、開示されていない。
【００１６】
（第三の問題点）
また、この構成では、図１２のイ）で、符号８Ａで示す比較的小さな書類が隠れてしまいやすい。
その解決策についても、開示されていない。
【００１７】
（第四の問題点）
また、引出しに収納するものは、ファイルした資料を保管することが多い。
ファイルは背表紙の幅は決まっているが、実際にファイルの背表紙の幅まで資料をファイルすることは少ない（図１３参照）
従って、ファイルした資料を引出しに収納する場合、普通、背表紙が上に来るようするので、図１２のイ）で示した引出し６の、図の一番左の収納スペースに示すように、複数のファイルは全体の形状が扇状になる。
また、ファイルと表表紙の薄い本とを混在させると、図１２のイ）で示した引出し６の、図の一番左の収納スペースに示すように、中折れがしやすい状態となる。
【００１８】
しかし、固定体（従来の仕切具）に弾性体を設け、その弾性体に支持体を設け、更に、その支持体を引出しの前後の面に平行にし、その支持体で書類を立たせる仕切具」と言う構成では、図１２のイ）で示した引出し６の、図の一番左の収納スペースに示すような状態を回避する効果はほとんどないといえる。
なぜなら、図１２のイ）で示した引出し６の、図の一番左の収納スペースに示すように、複数のファイルは全体の形状が扇状になり、下に隙間ができる。その隙間に、表表紙の薄い本の下が横に滑べって入り込み、本の下が少し横に滑ると、表表紙が薄く腰がないので、その本の自重で、本の下が更に横に滑り、ますます、本は中折れする。
しかし、この構成では、「支持体を引出しの前後の面に平行に」して書類を押えるので、押える力は、ファイルの背表紙に加わり、背表紙は立ちあがって、ファイルが隠れる、表表紙の薄い本はファイルの下に隠れることが、想定される。
その解決策についても、開示されていない。
【００１９】
（第五の問題点）
また、構造上、支持体を上方向に支えることは難しく、書類を多く収納した場合、支持体の隣にある書類を出すと、書類と一緒に支持体も上に出て、仕切具を傷める恐れがあるが、その解決策についても、開示されていない。
【００２０】
次に、「実用新案出願公開、昭６２−２７０３１、引出式書類ローカーの仕切板」は、底面が逆Ｔ字または台形の角柱の形状をした仕切具が、磁石により、引出しに固定し、また移動できるものである。
この方法には、次の問題がある。
（第一の問題点）
書類を抜き取った時、隙間ができ、表表紙の薄い本は、中折れするが、その解決策についても、開示されていない。
（第二の問題点）
仕切具が、磁石により、引出しに固定・移動できるが、仕切具を移動させると、反対側に隙間ができてしまう。それを解決するには、複数の仕切具を用意して、度々、複数の仕切具を移動なくてはならず面倒である。
（第三の問題点）
底面が台形の角柱の形状をした仕切具は特に、複数の仕切具を引出しに入れると、肝腎の書類を保管スペースが、半減してしまう。
（第四の問題点）
底面が逆Ｔ字の角柱の形状をした仕切具では、逆Ｔ字の下の部分に書類が当たり、逆Ｔ字の下の角で書類を傷める恐れもあるが、その解決策については、開示されていない。
【００２１】
【発明が解決しようとする課題】
請求項１ないし請求項９のいずれかに記載の発明は、机の引出し、書庫または本棚において、書類の転倒が少なく、背表紙の立ちあがりや表表紙の薄い書類の中折れによる書類が隠れることを防止し、比較的小さい書類が隣の大きい書類に隠れてしまうことも防止できる、書類の出し入れがしやすい仕切具を提供することを目的とするものである。
請求項１０の発明は、請求項１ないし請求項９のいずれかに記載の仕切具を備えた、書類の転倒が少なく、背表紙の立ちあがりや表表紙の薄い書類の中折れによる書類が隠れることを防止し、比較的小さい書類が隣の大きい書類に隠れてしまうことも防止できる、書類の出し入れがしやすい机の引出し、書庫、本棚またはブックエンドを提供することを目的とするものである。
【００２２】
【課題を解決するための手段】
次の手段により、前述の目的を達成するものである。
【００２３】
本発明の内、請求項１に記載の発明は、机の引出し、書庫または本棚の仕切具において、書類を支える支持体１の略中央にヒンジ部２を設け、前記支持体１は前記ヒンジ部２で折れ曲がることができ、前記支持体１をＶ字状に折り曲げた状態で前記支持体１の内側に弾性体３を設けたことを特徴とするものである。
【００２４】
請求項２に記載の発明は、請求項１に記載の仕切具において、前記支持体１は、板状であることを特徴とするものである。
【００２５】
請求項３に記載の発明は、請求項１または請求項２に記載の仕切具において、前記弾性体３は、スポンジのような弾性を示す限界の大きい弾性体、または、ばねであることを特徴とするものである。
【００２６】
請求項４に記載の発明は、請求項１ないし請求項３のいずれか１項に記載の仕切具において、前記ヒンジ部２の両側の支持体１それぞれに、前記弾性体３を設けたことを特徴とするものである。
【００２７】
請求項５に記載の発明は、請求項１ないし請求項４のいずれか１項に記載の仕切具において、前記ヒンジ部２は、繰り返し曲げに強い合成樹脂でできており、前記ヒンジ部２は、厚さが薄いものであるか、または前記ヒンジ部２の断面がＶ字状、Ｕ字状若しくは線条状の形状の溝であることを特徴とするものである。
【００２８】
請求項６に記載の発明は、机の引出し、書庫または本棚の仕切具において、スポンジのような弾性を示す限界の大きい弾性体３を、三角柱形状に加工し、その三角柱形状の、三つの側面の内の二つの側面に、板状の前記支持体１を設けたことを特徴とするものである。
【００２９】
請求項７に記載の発明は、請求項１ないし請求項６のいずれか１項に記載の仕切具において、机の引出し、書庫または本棚に固定された固定体４（固定体が可動なものも含める）のいずれかの場所と、前記支持体１との間に前記弾性体３があることを特徴とするものである。
【００３０】
請求項８に記載の発明は、机の引出し、書庫または本棚の仕切具において、板状の支持体１の端を鉤状にし、前記支持体２に弾性体３を設けたことを特徴とする特徴とするものである。
【００３１】
請求項９に記載の発明は、請求項１ないし請求項８のいずれか１項に記載の仕切具において、前記支持体１のヒンジ部２がある縁に板９を設け、前記板９をその縁から突出させたことを特徴とするものである。
【００３２】
請求項１０に記載の発明は、机の引出し（、書庫、本棚またはブックエンド）において、請求項１ないし請求項９のいずれか１項に記載の仕切具を備えたことを特徴とするものである。
【００３３】
【発明の実施の形態】
【００３４】
図１のイ）は、本発明の構成要素の一つである支持体１と、同じく本発明の構成要素の一つであるヒンジ部２の一実施形態例で、斜視図である。
図１のロ）は、図１のイ）に示した支持体１を裏返した様子を表し、斜視図である。
図１のハ）とニ）は、図１のロ）に示した支持体１を、図１のロ）の矢印の方向に折り曲げ、本発明の構成要素の一つである弾性体３を、支持体１に設けたもので、本発明の仕切具の実施形態を説明する概念図で、側面図である。
【００３５】
「机の引出し、書庫または本棚の仕切具において、書類を支える支持体１の略中央にヒンジ部２を設け、前記支持体１は前記ヒンジ部２で折れ曲がることができ、前記支持体１をＶ字状に折り曲げた状態で前記支持体１の内側に弾性体３を設ける（請求項１参照）」と、書類の転倒が少なく、背表紙の立ちあがりや表表紙の薄い書類の中折れによる書類が隠れることを防止し、比較的小さい書類が隣の大きい書類に隠れてしまうことも防止できる、書類の出し入れがしやすい仕切具となることを以下に説明する。
【００３６】
先ず、図１のイ）ないしニ）で説明する。
机の引出し、書庫または本棚の仕切具において、「書類を支える支持体１の略中央にヒンジ部２を設ける」と、図１のイ）、ロ）に示すような、ヒンジ部２のある支持体１となる。
尚、図１のイ）、ロ）に示すヒンジ部２は、請求項５に記載したヒンジ部２の一実施形態例、即ち、「前記ヒンジ部２は、繰り返し曲げに強い合成樹脂でできており、前記ヒンジ部２は、厚さが薄いもの（請求項５参照）」であり、支持体１とヒンジ部２とが一体であるものを図示した。ヒンジ部２の実施形態例は、これに限らず、支持体１を容易に折り曲げることができるものであればよい。ヒンジ部２の、その他の実施の形態については後述する。
また、支持体１の形状は、「板状のもの（請求項２）」が好ましい。支持体１の形状は、書類を傷めないで支えることができ、書類を傷めないで書類の出し入れができるような形状であればよく、次に述べるような形状にしてもよい。四角形状の板状、楕円形状の板状、三角形状の板状などの形状でもよく、板状が板のいずれかの場所に穴の開いた形状のものや、平らな網のような形状のものなどでもよい（図は省略した）。
最も好ましい支持体１の形状は、四角形状の板状である。
【００３７】
このようにすると、図１のロ）に示すように、「支持体１はヒンジ部２で折れ曲がることができる」。そして、「支持体１をＶ字状に折り曲げた状態で支持体１の内側に弾性体３を設ける」と図１のハ）またはニ）に示すような仕切具となる。
図１のハ）は、「ヒンジ部２の両側の支持体１それぞれに、弾性体３を設けた（請求項４参照）」ものである。
「弾性体３は、スポンジのような弾性を示す限界の大きい弾性体、または、ばねである（請求項３）」ことが、最も好ましい。
しかし、弾性体３は、スポンジに限らず、弾性を示す限界の大きい弾性体であればよく、例えば、弾性体３は、海綿状のゴムのものや、発泡ポリウレタンや、軟質のゴムなどでもよい。また、その形状は、支持体１を押えると、それに反発して押し返すことができれば、どのような形状であってもよい。弾性体３が、スポンジのような弾性を示す限界の大きい弾性体である場合の、図１のハ）、ニ）の他の形状について、図２のイ）、ロ）、ハ）で説明する。
【００３８】
図２のイ）、ロ）、ハ）は、本発明の構成要素の一つである弾性体３が、スポンジのような弾性を示す限界の大きい弾性体である場合の一実施形態例で、すべて側面図である。
【００３９】
図２のイ）に示すように、弾性体３が、スポンジのような弾性を示す限界の大きい弾性体である場合で、弾性体３がヒンジ部２の両側の支持体１にある場合には、図２のロ）に示すように、底面が台形の四角柱状でもよく、底面が直角三角形状の四角柱状でもよい。また、弾性体３が一つの場合、図２のハ）に示すように、支持体１をＶ字状に折り曲げた状態で、支持体１の内側のほとんどを、弾性体３が占めるようにしてもよい。
このようにすると、図１のハ）、ニ）に示す仕切具よりも、図２のロ）、ハ）に示す仕切具の方が、支持体１を押える力に対して、より強く対抗できる仕切具となる。また、図１のハ）に示す仕切具よりも、図２のイ）に示す仕切具の方が、弾性体３の安定性がよくなる。
【００４０】
また、ばねは、コイルばね、輪ばね、板ばねでもよく、ばねの材料は鋼でも合成樹脂でもよい。
次に、弾性体３が、ばねである場合について、代表して、板ばねを適用した場合の実施の形態を述べる。
【００４１】
図３のイ）は、本発明の構成要素の一つである支持体１に弾性体保持部１１を設けた一実施形態例で、斜視図である。
図３のロ）は、図３のイ）に示した支持体１を裏返した様子を表し、斜視図である。
図３のハ）は、本発明の構成要素の一つである弾性体３が板ばねである場合の、弾性体３の一実施形態例で、斜視図である。
図３のニ）は、図３のイ）に示した弾性体保持部１１に、図３のハ）に示した弾性体３を設けた本発明の仕切具の、一実施形態例で、斜視図である。
図３のホ）は、図３のニ）に示した本発明の仕切具を、図３のニ）に示した矢印の方向に、支持体１を折り曲げた状態を表し、側面図である。
【００４２】
図３のイ）ないしホ）で説明する。
図３のイ）、ロ）に示すように、支持体１に、図３のハ）に示す板ばね３が挿入できるように、孔のある弾性体保持部１１を設け、図３のハ）に示すように、Ｓ字状に湾曲した板バネの先端に凸部３１を設け、図３のニ）に示すように、板ばね３を、弾性体保持部１１に挿入し、図３のニ）の矢印の方向に支持体１を折り曲げるとホ）に示すような仕切具となる。
尚、弾性体３は、一つにしてもよい（図は、省略した）。
【００４３】
また、弾性体３が板ばねである場合は、次のようにしてもよい。
【００４４】
図４のイ）は、弾性体３が板ばねである場合の、本発明の仕切具の一実施形態例で、斜視図である。
図４のロ）は、本発明の構成要素の一つである弾性体３の一実施形態例で、斜視図である。
図４のハ）は、図４のイ）に示した仕切具を、図４のイ）に示した矢印の方向に折り曲げた様子を表し、側面図である。
【００４５】
図４のイ）、ロ）、ハ）で説明する。
「ヒンジ部２は、繰り返し曲げに強い合成樹脂でできており、ヒンジ部２は、厚さが薄いもの（請求項５参照）」で説明する。
図４のロ）に示す弾性体３（板ばね）を、図４のイ）に示すように、支持体１に溶着や接着により固定すると、図４のイ）、ハ）に示すような仕切具となる。
【００４６】
ヒンジ部２の詳しい実施の形態は後述するが、支持体１が金属の場合、ヒンジ部２は蝶番やリングが好ましく、図４のロ）に示す弾性体３（板ばね）も金属にして、支持体１と弾性体３とを固定する方法は、スポット溶接にすると、量産しやすくなる（図６、図７参照）。
また、支持体１が木の場合、ヒンジ部２は蝶番やリングが好ましく、図４のロ）に示す弾性体３（板ばね）は、金属でも合成樹脂でもよく、支持体１と弾性体３とを固定する方法は、ビス締めが好ましい（図６、図７参照）。
【００４７】
また、弾性体３が板ばねである場合は、次のようにしてもよい。
【００４８】
図５のイ）、ロ）は、弾性体３が板ばねである場合の、本発明の仕切具の一実施形態例で、斜視図である。
図５のハ）は、図５のイ）に示した仕切具本体４を、図５のイ）に示す矢印の方向に折り曲げた様子を表し、側面図である。
図５のニ）は、図５のロ）に示した仕切具本体４を、図５のロ）の矢印の方向に折り曲げた様子を表し、側面図である。
【００４９】
図５のイ）ないしニ）で説明する。
「ヒンジ部２は、繰り返し曲げに強い合成樹脂でできており、ヒンジ部２は、厚さが薄いもの（請求項５参照）」で、支持体１とヒンジ部２とが、一体ものでできている場合の一実施形態例を説明する。
図５のイ）、ロ）に示すように、一部が支持体１に繋がるコの字状の切れ目を、支持体１に入れ、このコの字状の切れ目を入れた端を、支持体１から持ち上げたような形状にすると、図５のイ）、ロ）に示すようになる。図５のイ）、ロ）に示す仕切具を、図５のイ）、ロ）に示す矢印の方向に、支持体１を折り曲げると、それぞれ、図５のハ）、ニ）に示すような仕切具となる。
このようにすると、支持体１は弾性のある合成樹脂でできているので，符号３で示す部分も弾性体となる仕切具ができる。
従って、このようにすると、一体ものでできるので、量産が可能で、製造コストが安価にできる。
【００５０】
また、支持体１が金属の場合も、方法を適用することができる。この場合、ヒンジ部２は蝶番やリングが好ましい（図は省略した）。
【００５１】
次に、ヒンジ部２の一実施形態例を説明する。
図６のイ）ないしホ）は、ヒンジ部２の一実施形態例で、すべて斜視図である。弾性体３を図示することは、省略した。
【００５２】
請求項１ないし請求項４のいずれか１項に記載の仕切具を、「ヒンジ部２は、繰り返し曲げに強い合成樹脂でできており、ヒンジ部２は、厚さが薄いものであるか、または前記ヒンジ部２の断面がＶ字状、Ｕ字状若しくは線条状の形状の溝である（請求項５参照）」であるようにすることについて説明する。
図６のイ）、ハ）、ニ）、ホ）は、すべて、支持体１とヒンジ部２とが一体のものである。図６のロ）は、支持体１とヒンジ部２とは一体のものではない。
繰り返し曲げに強い合成樹脂としては、ポリプロピレンなどがよい。
【００５３】
請求項１ないし請求項４のいずれか１項に記載の仕切具において、繰り返し曲げに強い合成樹脂でできた支持体１のヒンジ部に該当する部分の厚さを薄くすると、図６のイ）に示すような、その薄くした部分がヒンジ部２の機能を果たす仕切具となる。
【００５４】
請求項１ないし請求項４のいずれか１項に記載の仕切具において、繰り返し曲げに強い合成樹脂でできた厚さが薄いテープを支持体１に固定すると、図６のロ）に示すような、薄いテープがヒンジ部２の機能を果たす仕切具となる。
【００５５】
請求項１ないし請求項４のいずれか１項に記載の仕切具において、繰り返し曲げに強い合成樹脂でできた支持体１のヒンジ部に該当する部分の断面をＶ字状の溝にすると、図６のハ）に示すような、そのＶ字状の溝がヒンジ部２の機能を果たす仕切具となる。
【００５６】
請求項１ないし請求項４のいずれか１項に記載の仕切具において、繰り返し曲げに強い合成樹脂でできた支持体１のヒンジ部に該当する部分の断面をＵ字状の溝にすると、図６のニ）に示すような、そのＵ字状の溝がヒンジ部２の機能を果たす仕切具となる。
【００５７】
請求項１ないし請求項４のいずれか１項に記載の仕切具において、繰り返し曲げに強い合成樹脂でできた支持体１のヒンジ部に該当する部分の断面を線条状の溝にすると、図６のホ）に示すような、その線条状の溝がヒンジ部２の機能を果たす仕切具となる。
【００５８】
以上に述べたようにすると、量産がしやすい構造の仕切具になる。
ヒンジ部２は、以上に限らず様様な形態が可能で、要するに、ヒンジ部２は、支持体１が、容易に折れ曲がりすればよい。製造の手間は掛かるが次のようにしてもよい。
【００５９】
請求項１ないし請求項４のいずれか１項に記載の仕切具において、ヒンジ部２は、蝶番２１またはリング２２にしてもよい。
【００６０】
図７のイ）、ロ）は、ヒンジ部２の一実施形態例で、共に平面図である。
図７のハ）は、図７のロ）の正面図である。
弾性体３を図示することは、省略した。
【００６１】
請求項１ないし請求項４のいずれか１項に記載の仕切具において、ヒンジ部２を蝶番にすると図７のイ）に示すように、その蝶番がヒンジ部２の機能を果たす仕切具となる。
【００６２】
請求項１ないし請求項４のいずれか１項に記載の仕切具において、ヒンジ部２をリングにすると図７のロ）に示すように、そのリングがヒンジ部２の機能を果たす仕切具となる。
【００６３】
また、請求項１ないし請求項４のいずれか１項に記載の仕切具において、ヒンジ部２は、一方の前記支持体に貫通孔があり、他方の前記支持体に突出部があり、前記貫通孔に前記突出部を挿入したもの、または、一方の前記支持体に鉤があり、他方の前記支持体にも鉤があり、双方の前記鉤と前記鉤とを絡ませたものであることを特徴とする仕切具としてもよい（図は省略した）。
【００６４】
以上に述べた仕切具の作用を下記に述べる。
「発明の実施の形態」の冒頭に記載したが、説明が少々長くなったので、再度記載する。
「机の引出し、書庫または本棚の仕切具において、書類を支える支持体１の略中央にヒンジ部２を設け、前記支持体１は前記ヒンジ部２で折れ曲がることができ、前記支持体１をＶ字状に折り曲げた状態で前記支持体１の内側に弾性体３を設ける（請求項１参照）」と、書類の転倒が少なく、背表紙の立ちあがりや表表紙の薄い書類の中折れによる書類が隠れることを防止し、比較的小さい書類が隣の大きい書類に隠れてしまうことも防止できる、書類の出し入れがしやすい仕切具となることを以下に具体的に説明する。
【００６５】
本発明の仕切具は、本発明の仕切具の実施形態を説明する概念図で、側面図である図１のハ）、ニ）を用いて作用を説明する。
【００６６】
図８のイ）は、従来の引出し本体６の一事例で、斜視図である。
図８のロ）は、図８のイ）に示した従来の引出し本体６にある、従来の仕切具（固定体５）を引出し本体６から取り出した図で、斜視図である。
（従来の仕切具を本発明の構成要素の一つとする請求項があるので、混同を避けるため、従来の仕切具は固定体（スライドできる可動のものも含める）５と表現する。）
図８のハ）は、図８のイ）のＰ−Ｐ断面図である。（固定体５の数を、１から３に増やしてある）
【００６７】
図９のイ）は、図８のハ）に示す従来の引出し本体６の固定体５の上から、図１のハ）に示した本発明の仕切具４をセットして、書類８を収納した様子を表し、断面図である。
図９のロ）は、従来の本棚７の正面から、図１のハ）に示した本発明の仕切具４をセットして、書類８を収納した様子を表し、正面図である。
図９のハ）は、図９のロ）の平面図である。
【００６８】
図１のハ）、ニ）、図８のイ）、ロ）、ハ）、図９のイ）、ロ）、ハ）で説明する。
本発明の仕切具は、本発明の仕切具の実施形態を説明する概念図で、側面図であるを用いて作用を説明する
【００６９】
「書類を支える支持体１の略中央にヒンジ部２を設け、前記支持体１は前記ヒンジ部２で折れ曲がることができ、前記支持体１をＶ字状に折り曲げた状態で前記支持体１の内側に弾性体３を設ける（請求項１参照）」と、図１のハ）、ニ）に示すような、簡単な構造の仕切具４となる。
このような簡単な構造の仕切具４なので、図８に示す従来の引出し本体６の固定体５（従来の仕切具）の上から、図１のハ）に示す本発明の仕切具４をかぶせるだけで、手軽にセットが完了するので、面倒なセット手間がいらない。（図９のイ）参照）
尚、図９のイ）は、断面図なので、書類が整然と並んでいないように見えるが、実際に見える所は、上からであるので、図９のロ）（図９のロ）は棚の正面図である）、のように整然と並んでいるように見える。
【００７０】
また、同様に、従来の本棚にセットする場合でも、本棚の前方から、図１のハ）本発明の仕切具４を固定体５（従来の仕切具）に、指し込むだけで、手軽にセットが完了する。（図９のロ）、ハ）参照）
また、図１のハ）またはニ）に示す本発明の仕切具４を、従来の引出しや従来の本棚、従来の書庫の固定体５（従来の仕切具）と固定体５（従来の仕切具）との間に使用してもよい。
【００７１】
次に、請求項１に記載の構成の仕切具４（図１参照）なので、本発明の仕切具４を引出しに使用した場合、書類を出し入れすると、同仕切具４の下の方が、ヒンジ２が弾性体３の力によって開閉するような動きをする（図９のイ）参照）。その結果、表表紙の薄い書類でも、その書類の下が、支持体１とその書類の隣の書類とで支えられ、書類の下が横滑りしなくなり、また、その書類の表表紙は支持体１に添うように書類が支持されるので、中折れがしなくなる。
中折れがしないので、背表紙が隠れてしまう（図１２のイ）で、符号８Ｃの書類）ことが防止できる。
また、本発明の仕切具４を本棚に使用した場合、図９のハ）に示すように、書類の奥が同仕切具の支持体１で支えられるので、表表紙の薄い書類の中折れ（図１２のロ）で、符号８Ｃで示した書類）が防止できる。
書類は、背表紙の部分は、縦の力に強いが、背表紙の裏に該当する所は縦の力に弱い。従って、本発明の仕切具４を本棚に使用した場合、縦の力に弱い所が支持体１で支えられ、しかも、弾性体３の反発力により、多少本の出し入れがあっても、書類は立姿を保っている。
また、本発明の仕切具４を書庫に使用した場合も同様である。
【００７２】
次に、請求項１に記載の構成の仕切具４（図１参照）なので、従来の引出しに、本発明の仕切具４を使用した場合も、従来の本棚に使用した場合も、書類の背表紙には、押える力はあまりかからない。（図９のイ）、ハ）参照）
従って、ファイルの背表紙の立ちあがり（図１２のイ）で、符号８Ｂで表示したファイル、図１３のニ）、ホ）、ヘ）参照）の防止ができ、ファイルが隠れてしまうことが防止できる。
また、書類の背表紙の近くには、仕切具が押える力はあまりかからない（図９のイ）、ハ）参照）ので、図１２のイ）で、符号８Ａで示す比較的小さい書類が、その隣にある大きな資料に隠れてしまうことが、防止できる。
また、書類の背表紙の近くには、仕切具が押える力はあまりかからない（図９のイ）、ハ）参照）ので、書類の出し入れがしやすくなる。
【００７３】
また、図９のイ）に示すように、適正な数の、本発明の仕切具４を従来の引出し６に備えると、弾性体３により支持体１が、書類を押えるので、書類の出し入れに伴う書類の転倒がなくなる。
【００７４】
次に、請求項１に記載の構成の仕切具４において、支持体１を板状にする（請求項２参照）と、支持体１が板状なので、支持体１に書類が引っかからず、スムーズに書類の出し入れができる。
【００７５】
次に、請求項１または請求項２に記載の構成の仕切具４において、弾性体３をスポンジのような弾性を示す限界の大きい弾性体、または、ばねにする（請求項３参照）にすると、支持体１を閉じた角度を小さくすることができるので、保管できるスペースはほとんど変わらない。ファイルの収納が多い場合には、適正な収納数量が確保できる。また支持体１の開閉の角度差を大きくすることができるので、スポンジのような弾性を示す限界の大きい弾性体、または、ばねの強さで、抜き取った書類の幅に対応した仕切具４を作ることができる。（支持体１の大きさにより限度がある）
【００７６】
次に、請求項１ないし請求項４のいずれか１項に記載の仕切具において、ヒンジ部２は、繰り返し曲げに強い合成樹脂でできており、ヒンジ部２は、厚さが薄いものであるか、またはヒンジ部２の断面がＶ字状、Ｕ字状若しくは線条状の形状の溝である（請求項５参照）ようにすると、量産が可能で、製造コストの低い仕切具を製造することができるので、安価な仕切具を提供することができる。
【００７７】
次に、机の引出し、書庫または本棚の仕切具において、スポンジのような弾性を示す限界の大きい弾性体３を、三角柱形状に加工し、その三角柱形状の、三つの側面の内の二つの側面に、板状の前記支持体１を設ける（請求項６）と、三角柱形状のスポンジのような弾性を示す限界の大きい弾性体３自体がヒンジの役割を果たすので、図１のニ）、図２のハ）と同等の機能の仕切具を提供することができる。（図は省略した）
なお、前記三角柱形状を底面が台形状の角柱の形状にしてもよい。（図は省略した）
【００７８】
請求項１ないし請求項６のいずれか１項に記載の仕切具において、机の引出し、書庫または本棚に固定された固定体４（固定体が可動なものも含める）のいずれかの場所と、前記支持体１との間に前記弾性体３がある（請求項７）ようにすると、図９のイ）や９図のハ）の符号４Ａ、４Ｂ、４Ｃに示すような仕切具となる。このようにすると、固定体５（従来の仕切具）を紛失されたまたは破損された人にも、本仕切具を提供することができる。
【００７９】
また、机の引出し、書庫または本棚の仕切具において、弾性のある金属または合成樹脂よりなる板状の支持体１をＶ字状に折り曲げたものでも、支持体に弾性があるので、図１のイ）、ニ）に示す仕切具と同等とまではいかないが、ある程度の効果のある仕切具を提供することができる（図は省略した）。
【００８０】
図１０のイ）は、請求項８に記載の発明の説明図で、平面図である。
図１０のロ）は、図１０のイ）の側面図である。
図１０のイ）、ロ）で説明する。
机の引出し、書庫または本棚の仕切具において、板状の支持体１の端を鉤状にし、前記支持体２に弾性体３を設ける（請求項８）と図１０のイ）、ロ）に示すようなものになる。
この鉤状の部分を固定体５（従来の仕切具）に掛けると、鉤状の部分が、ヒンジの役目をするので、図１のニ）に示す仕切具４と同じ機能を果たす仕切具となる。
このようにすると、よりシンプルな仕切具となり、製造コストの低い安価な仕切具を提供することができる。
なお、この鉤状の部分は輪になっていて、固定体５（従来の仕切具）に棒を設け、その棒を輪に通すようにしてもよい。
【００８１】
図１１のイ）は、請求項９に記載の発明の説明図で、側面図である。
図１１のロ）は、図１１のイ）の平面図である。
請求項１ないし請求項８のいずれか１項に記載の仕切具において、支持体１のヒンジ部２がある縁に板９を設け、前記板９をその縁から突出させる（請求項９）と、図１１のイ）、ロ）に示す仕切具となる。
このようにすると、板９に見出しを付けることができるので、仕切具自体がインデックスの役割をするので、請求項１ないし請求項８のいずれか１項に記載の仕切具より、書類の分類に役立つ仕切具を提供することができる。
【００８２】
請求項１ないし請求項９のいずれか１項に記載の仕切具を備えた机の引出し（、書庫、本棚またはブックエンド）にする（請求項１０）と、以上に説明したように、書類の転倒が少なく、背表紙の立ちあがりや表表紙の薄い書類の中折れによる書類が隠れることを防止し、比較的小さい書類が隣の大きい書類に隠れてしまうことも防止できる、書類の出し入れがしやすい机の引出し（、書庫、本棚またはブックエンド）を提供することができる。
なお、ブックエンドへの本発明の仕切具を設けるには、次のようにするとよい。支持体または弾性体とブックエンドの垂直に立ちあがった部分と、ビスなどで締着させるか、溶着若しくは接着させるか、または嵌合させるとよい（図は省略した）。
【００８３】
【発明の効果】
以上に説明したように、机の引出し、書庫または本棚において、書類の転倒が少なく、背表紙の立ちあがりや表表紙の薄い書類の中折れによる書類が隠れることを防止し、比較的小さい書類が隣の大きい書類に隠れてしまうことも防止できる、書類の出し入れがしやすい安価な仕切具を提供することができ、またその仕切具を備えた、机の引出し、書庫、本棚またはブックエンドを提供することができる。
であるので、書類が見つからずに困ることが少なくなる。
【図面の簡単な説明】
【図１】図１のイ）は、本発明の構成要素の一つである支持体１と、同じく本発明の構成要素の一つであるヒンジ部２の一実施形態例で、斜視図である。
図１のロ）は、図１のイ）に示した支持体１を裏返した様子を表し、斜視図である。
図１のハ）とニ）は、図１のロ）に示した支持体１を、図１のロ）の矢印の方向に折り曲げ、本発明の構成要素の一つである弾性体３を、支持体１に設けたもので、本発明の仕切具の実施形態を説明する概念図で、側面図である。
【図２】図２のイ）、ロ）、ハ）は、本発明の構成要素の一つである弾性体３が、スポンジのような弾性を示す限界の大きい弾性体である場合の一実施形態例で、すべて側面図である。
【図３】図３のイ）は、本発明の構成要素の一つである支持体１に弾性体保持部１１を設けた一実施形態例で、斜視図である。
図３のロ）は、図３のイ）に示した支持体１を裏返した様子を表し、斜視図である。
図３のハ）は、本発明の構成要素の一つである弾性体３が板ばねである場合の、弾性体３の一実施形態例で、斜視図である。
図３のニ）は、図３のイ）に示した弾性体保持部１１に、図３のハ）に示した弾性体３を設けた本発明の仕切具の、一実施形態例で、斜視図である。
図３のホ）は、図３のニ）に示した本発明の仕切具を、図３のニ）に示した矢印の方向に、支持体１を折り曲げた状態を表し、側面図である。
【図４】図４のイ）は、弾性体３が板ばねである場合の、本発明の仕切具の一実施形態例で、斜視図である。
図４のロ）は、本発明の構成要素の一つである弾性体３の一実施形態例で、斜視図である。
図４のハ）は、図４のイ）に示した仕切具を、図４のイ）に示した矢印の方向に折り曲げた様子を表し、側面図である。
【図５】図５のイ）、ロ）は、弾性体３が板ばねである場合の、本発明の仕切具の一実施形態例で、斜視図である。
図５のハ）は、図５のイ）に示した仕切具本体４を、図５のイ）に示す矢印の方向に折り曲げた様子を表し、側面図である。
図５のニ）は、図５のロ）に示した仕切具本体４を、図５のロ）の矢印の方向に折り曲げた様子を表し、側面図である。
【図６】図６のイ）ないしホ）は、ヒンジ部２の一実施形態例で、すべて斜視図である。
（弾性体３を図示することは、省略した。）
【図７】図７のイ）、ロ）は、ヒンジ部２の一実施形態例で、共に平面図である。
図７のハ）は、図７のロ）の正面図である。
（弾性体３を図示することは、省略した。）
【図８】図８のイ）は、従来の引出し本体６の一事例で、斜視図である。
図８のロ）は、図８のイ）に示した従来の引出し本体６にある、従来の仕切具（固定体５）を引出し本体６から取り出した図で、斜視図である。
（従来の仕切具を本発明の構成要素の一つとする請求項があるので、混同を避けるため、従来の仕切具は固定体（スライドできる可動のものも含める）５と表現する。）
図８のハ）は、図８のイ）のＰ−Ｐ断面図である。（固定体５の数を、１から３に増やしてある）
【図９】図９のイ）は、図８のハ）に示す従来の引出し本体６の固定体５の上から、図１のハ）に示した本発明の仕切具４をセットして、書類８を収納した様子を表し、断面図である。
図９のロ）は、従来の本棚７の正面から、図１のハ）に示した本発明の仕切具４をセットして、書類８を収納した様子を表し、正面図である。
図９のハ）は、図９のロ）の平面図である。
【図１０】図１０のイ）は、請求項８に記載の発明の説明図で、平面図である。
図１０のロ）は、図１０のイ）の側面図である。
【図１１】図１１のイ）は、請求項９に記載の発明の説明図で、側面図である。
図１１のロ）は、図１１のイ）の平面図である。
【図１２】図１２のイ）は、図８のハ）に示す従来の引き出しに、書類を入れた状態を表し、断面図である。
図１２のロ）は、従来の本棚と従来の仕切具（固定体５）の一事例に、書類を入れた状態を表し、正面図である。
【図１３】図１３のイ）ないしへ）は、資料を綴ったファイルの様子を表し、説明図である。
【符号の説明】
１………支持体
１１……弾性体保持部
２………ヒンジ部
３………弾性体
３１……弾性体の凸部
４、４Ａ、４Ｂ、４Ｃ………仕切具本体
５………固定体（従来の仕切具）
５１……横の突起
５２……下の突起
６………引出し本体
６１……孔
６２……凹部
７………本棚本体
８………書類
８Ａ……比較的小さい書類
８Ｂ……ファイル本体（背表紙が立ちあがったファイル）
８Ｂ１……背表紙
８Ｃ……表表紙が薄い書類
８Ｄ……綴じ込んだ資料の少ないファイル
９………板
【図１】
2004154394.tif 000003
【図２】
2004154394.tif 000004
【図３】
2004154394.tif 000005
【図４】
2004154394.tif 000006
【図５】
2004154394.tif 000007
【図６】
2004154394.tif 000008
【図７】
2004154394.tif 000009
【図８】
2004154394.tif 000010
【図９】
2004154394.tif 000011
【図１０】
2004154394.tif 000012
【図１１】
2004154394.tif 000013
【図１２】
2004154394.tif 000014
【図１３】
2004154394.tif 000015